(57)【要約】【課題】使用していないときには複数台をコンパクトに収納でき、使用時には脚部分が歩行の邪魔になることのないガートル台を提供する。【解決手段】支柱部２１が取付けられた中央部２２から先端に向かうにしたがって漸次低くなるように放射状に延びる複数の脚部を有し、この脚部は少なくとも、１本の第１脚部２０Ａと、この第１脚部２０Ａとは中央部２２を介して反対側に該第１脚部２０Ａの延長線Ｓを中心とする線対称に設けられた２本の第２脚部２０Ｂ、２０Ｂとを有し、第２脚部２０Ｂ、２０Ｂの基端部間に、中央部２２の下方及び延長線Ｓの方向を開放状態とし、複数台重ねたときに隣接するガートル台１０の第１脚部２０Ａを挿入状態として被挿入側の第１脚部２０Ａの下方に重ねて格納することが可能なトンネル部３０を設けた。【選択図】      図１
2014057663.tif 000002
【特許請求の範囲】
【請求項１】
複数台重ねて収納することが可能なガートル台であって、支柱部が取付けられた中央部から先端に向かうにしたがって漸次低くなるように放射状に延びる複数の脚部を有し、前記脚部は少なくとも、１本の第１脚部と、この第１脚部とは前記中央部を介して反対側に該第１脚部の延長線を中心とする線対称に設けられた２本の第２脚部とを有し、前記第２脚部の基端部間に、前記中央部の下方及び前記延長線方向を開放状態とし、複数台重ねたときに隣接するガートル台の第１脚部を挿入状態として被挿入側の前記第１脚部の下方に重ねて格納することが可能なトンネル部を設けたことを特徴とするガートル台。
【請求項２】
前記第１脚部上面の長さを前記トンネル部の開口部から前記第１脚部の下面のキャスタ取付部の後端までの長さよりも短くし、前記トンネル部の開口部の上端の高さを前記第１脚部の基端部の高さよりも高くし、前記トンネル部の上端面の水平面からの角度に対して前記第１脚部の上面の水平面からの角度を同じか又はより大きくなるように設けたことを特徴とする請求項１に記載のガートル台。
【請求項３】
前記第１脚部と各第２脚部との間に第３脚部がそれぞれ１本ずつ設けられ、この第３脚部は、前記第１脚部を前記隣接するガートル台の前記トンネル部に挿入状態としたときに、被挿入側の前記第２脚部の上方に重ねることが可能な位置に設けられていることを特徴とする請求項１又は２に記載のガートル台。
【請求項４】
前記支柱部にねじ止めにより回転方向と高さ方向に位置調節可能な握り部を設け、この握り部を前記トンネル部の開口部の上方に位置させて固定したことを特徴とする請求項１から３の何れか１項に記載のガートル台。
【請求項５】
前記脚部を樹脂又はゴム製のカバーで被覆した請求項１から４の何れか１項に記載のガートル台。
【発明の詳細な説明】
【技術分野】
【０００１】
本発明は、患者等の使用者が輸液バッグ等を吊り下げて移動することができるガートル台に関し、特に、複数台を重ねてコンパクトに収納可能なガートル台に関する。
【背景技術】
【０００２】
一般に、ガートル台は、点滴の輸液バックなどを吊り下げた状態で患者等の使用者が円滑に移動できるようにするために複数の脚部が放射状に設けられ、この脚部にキャスタが設けられている。このようなガートル台を複数収納する場合、放射状の脚部同士が隣接するガートル台の脚部に接触することで各脚部の設置面積が必要になるため、通常は設置スペースが広くなる。
【０００３】
この対策として、例えば、特許文献１の点滴スタンドが開示されている。この点滴スタンドでは、基部に対して複数のセグメント部材が同一平面内に設けられ、これらのセグメント部材よりも高い位置に張出部材が設けられ、この張出部材に柱部が設けられている。このような構成とすることで、セグメント部材同士を同一平面内で重ね合わせるようにし、複数の点滴スタンドを互いに近接した状態で格納しようとしている。
【先行技術文献】
【特許文献】
【０００４】
【特許文献１】特表２０１１−５０５９６２号公報
【発明の概要】
【発明が解決しようとする課題】
【０００５】
しかしながら、特許文献１の点滴スタンドでは、セグメント部材同士を重ね合わせることで近接させて格納することはできるものの、使用時にはセグメント部材が同一平面内に設けられていることで、このセグメント部材が歩行の邪魔になって移動しにくくなるという問題があった。
【０００６】
本発明は、このような事情に鑑みてなされたもので、使用していないときには複数台を重ねてコンパクトに収納でき、使用時には脚部が歩行の邪魔になることのないガートル台を提供することを目的とする。
【課題を解決するための手段】
【０００７】
本発明は、複数台重ねて収納することが可能なガートル台であって、支柱部が取付けられた中央部から先端に向かうにしたがって漸次低くなるように放射状に延びる複数の脚部を有し、前記脚部は少なくとも、１本の第１脚部と、この第１脚部とは前記中央部を介して反対側に該第１脚部の延長線を中心とする線対称に設けられた２本の第２脚部とを有し、前記第２脚部の基端部間に、前記中央部の下方及び前記延長線方向を開放状態とし、複数台重ねたときに隣接するガートル台の第１脚部を挿入状態として被挿入側の前記第１脚部の下方に重ねて格納することが可能なトンネル部を設けたことを特徴とする。
【０００８】
このガートル台によれば、第２脚部同士の間のトンネル部から隣接するガートル台の第１脚部を挿入状態としたときに、被挿入側の第１脚部の下方に挿入側の第１脚部を重ねて格納することが可能になり、コンパクト化を図りながら複数台を収納可能となる。使用時においては、第２脚部の基端部間のトンネル部により設けられる空間内に使用者の足を入れることができ、この場合、脚部は中央部から低い位置に向けて放射状に延び、中央部が脚部よりも高い位置にあることからトンネル部の下方の空間が大きくなり、足を入れるスペースを大きく確保できる。このため、脚部が使用者の邪魔になることがなく無理のない姿勢でスムーズな歩行が可能となる。
【０００９】
本発明のガートル台において、前記第１脚部上面の長さを前記トンネル部の開口部から前記第１脚部の下面のキャスタ取付部の後端までの長さよりも短くし、前記トンネル部の開口部の上端の高さを前記第１脚部の基端部の高さよりも高くし、前記トンネル部の上端面の水平面からの角度に対して前記第１脚部の上面の水平面からの角度を同じか又はより大きくなるように設けることが望ましい。
このように設けることで、トンネル部から隣接するガートル台の第１脚部を挿入する場合に、挿入側の第１脚部の先端側が被挿入側の第１脚部に接触したり、挿入側の第１脚部がトンネル部の開口部に接触したり、挿入側の第１脚部の上面が被挿入側の第１脚部の下面に接触したりすることがなく、第１脚部をトンネル部から最大限挿入しながらコンパクトに格納できる。
【００１０】
また、本発明のガートル台において、前記第１脚部と各第２脚部との間に第３脚部がそれぞれ１本ずつ設けられ、この第３脚部は、前記第１脚部を前記隣接するガートル台の前記トンネル部に挿入状態としたときに、被挿入側の前記第２脚部の上方に重ねることが可能な位置に設けられているとよい。
隣接するガートル台のトンネル部からガートル台の第１脚部を挿入したときに、第３脚部が第２脚部に干渉することがなく、第１脚部の挿入後に確実に第３脚部を第２脚部の上方に重ねることでガートル台をコンパクトに格納可能となる。
【００１１】
さらに、本発明のガートル台において、前記支柱部にねじ止めにより回転方向と高さ方向に位置調節可能な握り部を設け、この握り部を前記トンネル部の開口部の上方に位置させて固定するとよい。
これにより、握り部をトンネル部の開口部の向きに固定でき、この手前側に配置されている握り部を握りながら歩行したときにトンネル部の開口部の下方に使用者の足を誘導できる。そのため、使用者は、トンネル部の開口部から中央部の下方側に形成されている空間に足をすすめて、脚部に接触しにくい状態で歩行可能となる。
また、握り部が第１脚部とは中央部を介して反対側に設けられるため、格納する際には、この握り部を握りながら第１脚部を隣接するガートル台のトンネル部に手前側から挿入して複数のガートル台を簡単に格納できる。
【００１２】
また、前記脚部を樹脂又はゴム製のカバーで被覆してもよい。
この場合、被覆したカバー同士が接触することで格納時に発生する音を緩和したり脚部が傷付いたりすることを防ぐことができる。
【発明の効果】
【００１３】
本発明のガートル台によれば、使用していないときには脚部を重ね合わせながら複数台をコンパクトに収納でき、使用時には脚部が歩行の邪魔にならずに円滑に歩行することができる。
【図面の簡単な説明】
【００１４】
【図１】本発明のガートル台の一実施形態を示す斜視図である。
【図２】図１のガートル台の脚部を示す平面図である。
【図３】図１の脚部の右側面図である。
【図４】図１の脚部の斜視図である。
【図５】図２のＡ−Ａ線に沿う断面図である。
【図６】脚部を覆うカバーの図５同様の断面図である。
【図７】図２のＢ−Ｂ線、Ｃ−Ｃ線、Ｄ−Ｄ線に沿う断面を順に並べた図である。
【図８】脚部を重ね合わせた状態を示す全体斜視図である。
【図９】図８の脚部の重なり状態を異なる方向から示す斜視図である。
【図１０】図９の重なり状態を示す正面図である。
【発明を実施するための形態】
【００１５】
以下、本発明の一実施形態に係るガートル台１０について図１〜図９を参照しながら説明する。図１において、ガートル台１０は、金属製又は樹脂製の複数の脚部２０Ａ〜２０Ｃ、支柱部２１を備え、脚部２０Ａ〜２０Ｃの中央部２２に支柱部２１が垂直に取付けられている。
【００１６】
脚部２０Ａ〜２０Ｃは、中央部２２から先端に向かうにしたがって漸次低くなるように放射状に延びて複数本形成され、少なくとも、１本の第１脚部２０Ａと、この第１脚部２０Ａとは中央部２２を介して反対側に該第１脚部２０Ａの下面２５の延長線Ｓを中心とする線対称に設けられた２本の第２脚部２０Ｂ，２０Ｂとを有している。これにより、中央部２２が床面側から最も高い位置にあり、各脚部２０Ａ〜２０Ｃは、先端側に向かうにしたがって床面側からの高さが低くなる形状になっている。
【００１７】
本実施形態では、第１脚部２０Ａと第２脚部２０Ｂとに加えて、さらにこれらの脚部２０Ａ，２０Ｂ間に第３脚部２０Ｃが１本ずつ設けられ、全体で５本の脚部２０Ａ〜２０Ｃが中央部２２からほぼ均等角度に設けられている。本発明においては、脚部２０Ａ〜２０Ｃは、第１脚部２０Ａ，第２脚部２０Ｂを有していれば５本以外であってもよい。各脚部２０Ａ〜２０Ｃの先端部の下面にはキャスタ２３がそれぞれ取付けられ、このキャスタ２３によってガートル台１０全体を移動可能になっている。
【００１８】
図２〜図５に示すように第１脚部２０Ａはほぼ直線状に設けられ、この第１脚部２０Ａの下面２５側にこの第１脚部２０Ａと隣接する別のガートル台１０の第１脚部２０Ａの上面２６側を重ねるように挿入して格納することが可能になっている。
【００１９】
すなわち、第２脚部２０Ｂ，２０Ｂの間にはトンネル部３０が設けられている。トンネル部３０は、第２脚部２０Ｂ，２０Ｂの間を下方から繰り抜くように第２脚部２０Ｂ，２０Ｂの基端部間に設けられ、このトンネル部３０によって中央部の下方及び第１脚部２０Ａの延長方向が開放状態となる。トンネル部３０は、図５に示すように第１脚部２０Ａの下面２５の延長線Ｓが開口部３０ａの上端側になるように形成され、このトンネル部３０の開口部３０ａの上端下面の高さＨ１が、第１脚部２０Ａの最大高さである基端部の上面の高さＨ２よりも高くなっており、かつ、このトンネル部３０の開口部３０ａの上端下面が第１脚部２０Ａの下面２５の延長線Ｓ上又はこれより下方に配置されるように形成されている。トンネル部３０の上端面の水平面からの角度θ１に対して、第１脚部２０Ａの上面２６の水平面からの角度θ２は、同じか又はより大きくなるように設けられる。
【００２０】
このトンネル部３０により、ガートル台１０を複数台重ねたときに隣接するガートル台１０の第１脚部２０Ａを挿入状態として自身の第１脚部２０Ａの下方に重ねて格納することが可能になっている。
また、この格納時の干渉を防止するために、図５において、第１脚部２０Ａの上面の全体の長さＬ１は、トンネル部３０の開口部３０ａから第１脚部２０Ａの下面２５のキャスタ取付部の後端までの長さＬ２よりも短くなっている。
【００２１】
また、図７は、図２に示した脚部２０の中央部２２からの同一円周切断面における断面図を示しており、第１脚部２０ＡのＢ−Ｂ断面、第２脚部２０ＢのＣ−Ｃ断面、第３脚部２０ＣのＤ−Ｄ断面について、左から順に第１脚部２０Ａ、第３脚部２０Ｃ、第２脚部２０Ｂを表している。第１脚部２０Ａの上面２６は、図７に示すように平面部２６ａの両側にアール面２６ｂが組み合わされた形状とされている。
【００２２】
図３及び図４に示すように、第２脚部２０Ｂは下方に向けて凸状となる（言い換えれば上面が凹面となる）湾曲状態に形成され、この第２脚部２０Ｂは、図７に示すように上方に頂点を有する略三角形の断面形状に設けられる。第２脚部２０Ｂの上面３１は、高さＨ３の位置に設けられる。
【００２３】
第３脚部２０Ｃは、第１脚部２０Ａと２本の第２脚部２０Ｂ、２０Ｂとの間にそれぞれ１本ずつ設けられる。この第３脚部２０Ｃは、隣接するガートル台１０の第１脚部２０Ａを挿入状態としたときに第２脚部２０Ｂの上方に重ねることが可能な位置に設けられている。
すなわち、第３脚部２０Ｃは、上方に向けて凸状となる（上面が凸面となる）湾曲状態に形成され、この第３脚部２０Ｃも第２脚部２０Ｂと同様に略三角形の断面形状に設けられる。中央部２２からの同一円周切断面において、第３脚部２０Ｃの下面３２の高さＨ４は第２脚部２０Ｂの上面３１の高さＨ３よりも高くなるように形成される。これにより、第２脚部２０Ｂが第３脚部２０Ｃの下側に位置することが可能になっている。
【００２４】
図８は、ガートル台１０に別のガートル台１０を重ねて格納した状態を示し、図９、図１０では、その格納状態における各脚部２０Ａ〜２０Ｃの重なり状態を示している。
図５に示したようにトンネル部３０の開口部３０ａの上端下面の高さＨ１が第１脚部２０Ａの基端部上面の高さＨ２よりも高く、トンネル部３０の開口部の上端面の角度θ１が第１脚部２０Ａの上面における角度θ２が同じかより大きくなっていることにより、図８から図１０に示すように、第１脚部２０Ａを別のガートル台１０のトンネル部３０から挿入したときに、挿入側の第１脚部２０Ａの上面２６が被挿入側の第１脚部２０Ａの下面２５にぶつからずに挿入することができる。また、第１脚部２０Ａの長さＬ１がトンネル部３０の開口部からキャスタ取付部の後端までの長さＬ２よりも短いことにより、挿入側の第１脚部２０Ａの基端までを被挿入側のトンネル部３０に挿入することが可能になる。
【００２５】
さらに、第２脚部２０Ｂの上面３１の高さＨ３よりも第３脚部２０Ｃの下面３２の高さＨ４が高く、第２脚部２０Ｂの上面３１が下方に凹となる湾曲形状とされ、逆に第３脚部２０Ｃの下面が上方に向けて凸となる湾曲形状に形成されていることから、挿入側のガートル台１０の第３脚部２０Ｃが被挿入側の第２脚部２０Ｂの上方をまたぐようにしながら第１脚部２０Ａをトンネル部３０に挿入できる。このように、第２脚部２０Ｂと第３脚部２０Ｃとが干渉することなく、第１脚部２０Ａをトンネル部３０内に確実に挿入して格納することができる。
【００２６】
なお、脚部２０は全体が薄肉のカバー３５により覆われており、そのカバー３５を図６に示す。カバー３５は、例えば樹脂又はゴム製よりなり、脚部２０の外側表面形状をなし、各脚部２０Ａ〜２０Ｃにスナップフィット機構により着脱可能に固定されている。
この着脱可能なカバー３５に代えて、脚部２０Ａ〜２０Ｃの表面に樹脂又はゴムの被覆を固着したもの、あるいは、脚部２０Ａ〜２０Ｃに樹脂又はゴムのコーティングを施したものとしてもよい。本発明では、これらを含めてカバーと称している。
さらに、カバー３５の第１脚部２０Ａに対応する上面側に緑色や青色等の適宜の着色部３６を設けている。図示例は、第１脚部２０Ａの長さ方向に沿う直線状に着色部３６が設けられており、これによって挿入側である第１脚部２０Ａを容易に視認して所定の向きに使用可能となる。この着色部３６の色や模様等を変えるようにすれば複数のガートル台１０を区別することもでき、例えば、病棟や診療科ごとなどに使用箇所を分けることで感染を防ぐこともできる。
【００２７】
なお、支柱部２１は、外筒部４０と内筒部４１とからなる二重筒構造であり、外筒部４０が中央部２２に固定され、この外筒部４０に内筒部４１が上下動可能に挿入されている。外筒部４０には、内筒部４１を固定するための固定ねじ部４２が設けられ、内筒部４１を伸縮させて高さを調節した状態で固定ねじ部４２を締め付けることにより、その高さ位置を固定することができる。
【００２８】
内筒部４１の上端には２つのフック部４５が１８０°反対側に設けられ、このフック部４５に図示しない輸液バック等を掛けることが可能になっている。フック部４５に輸液バック等を掛ける場合、上記の内筒部４１を任意の高さに調節すれば使用者の邪魔になることがない。フック部４５は、先端側が内側に曲げられた形状であるため、輸液バック等の吊り下げが容易になり、かつ輸液バック等が外部側に露出することが防止されるため、外部に干渉したり引っ掛かったりするおそれがない。
【００２９】
支柱部２１の外筒部４０には、固定ねじ部５０により握り部５１が取付けられている。固定ねじ部５０を緩めることで握り部５１を回転方向及び高さ方向に位置調節可能であり、固定ねじ部５０を締め付けることにより所定の位置で握り部５１を固定可能になっている。本発明のガートル台１０では、握り部５１をトンネル部３０の開口部３０ａの上方に配置するように位置合わせして適宜の高さに調節し、この状態で固定ねじ部５０により固定するようにしている。これにより、使用時に握り部５１を手前から握れば、自然にトンネル部３０が使用者の手前側となる向きになり、歩行時に足が第２脚部２０Ｂ，２０Ｂの間からトンネル部３０の開口部３０ａの下方の空間Ｇまで入れることができ、両脚部２０Ｂ，２０Ｂにぶつかりにくくなる。このように固定ねじ部５０の位置調節により、ガートル台１０を使用者の使用し易い向きに設定することができる。
【００３０】
握り部５１の下方位置には第２フック部５２が設けられ、この第２フック部５２にも輸液バックを掛けたり、或は図示しない医療機器のケーブルや重量物を掛けることもできる。この場合、第２フック部５２は中心部位となる支柱部２１の近くに設けられていることで、重量物を掛けたときにもガートル台１０全体を安定状態に維持しながら歩行可能となる。
【００３１】
以上説明したように、このガートル台１０によれば、脚部２０Ａ〜２０Ｃ同士を重ね合わせた状態で収納することができるため、脚部を重ねない場合に比較して同じスペースにより多くの台数を収納可能となる。また、使用時にはトンネル部３０の下方に使用者の足を入れる空間が確保されるため、支柱部２１を手で引き寄せながら歩行したときにも脚部２０Ａ〜２０Ｃに足が接触することを回避でき、ガートル台１０を持ちながらの歩行が容易となり、安全である。
なお、本発明は上記実施形態に限定されるものではなく、本発明の趣旨を逸脱しない範囲において種々の変更を加えることが可能である。
【符号の説明】
【００３２】
１０  ガートル台
２０  脚部
２０Ａ  第１脚部
２０Ｂ  第２脚部
２０Ｃ  第３脚部
２１  支柱部
２２  中央部
２５  下面
２６  上面
３０  トンネル部
３０ａ  開口部
３５  カバー
５１  握り部
【図１】
2014057663.tif 000003
【図２】
2014057663.tif 000004
【図３】
2014057663.tif 000005
【図４】
2014057663.tif 000006
【図５】
2014057663.tif 000007
【図６】
2014057663.tif 000008
【図７】
2014057663.tif 000009
【図８】
2014057663.tif 000010
【図９】
2014057663.tif 000011
【図１０】
2014057663.tif 000012